(57)【要約】【課題】路面や工場内の床面等の清掃作業において、塵埃の取り残しを少なくすることが可能な清掃装置を提供する。【解決手段】左右に走行車輪を取り付けた台車に、前記走行車輪の回転に対して逆回転する回転ブラシを設け、前記回転ブラシの前記台車の進行方向前方上方に、前記回転ブラシから掻き上げられた塵埃を回収する筐体を着脱自在に取り付けた清掃装置において、前記台車の進行方向の塵埃を前記回転ブラシに誘導する左右２つの前部誘導片と、前記回転ブラシ後方に、前記台車に対して着脱自在な路面接触片から構成される。【選択図】図１
2012249915.tif 000002
【特許請求の範囲】
【請求項１】
左右に走行車輪を取り付けた台車に、前記走行車輪の回転に対して逆回転する回転ブラシを設け、前記回転ブラシの前記台車の進行方向前方上方に、前記回転ブラシから掻き上げられた塵埃を回収する筐体を着脱自在に取り付けた清掃装置において、
前記台車の進行方向の塵埃を前記回転ブラシに誘導する左右２つの前部誘導片と、
前記回転ブラシ後方に、前記台車に対して着脱自在な路面接触片を設けた、
ことをと特徴とする清掃装置。
【請求項２】
前記前部誘導片は、前記台車の進行方向に対し、前記回転ブラシの前方両側の２ヶ所に、かつ前記台車の内側に向けて傾斜する逆ハ字状に、前記台車に設置した、
ことを特徴とする請求項１記載の清掃装置。
【請求項３】
前記路面接触片は、少なくとも前記左右の走行用車輪間の幅に対応する路面接触面に接触するよう構成した、
ことを特徴とする請求項１または２記載の清掃装置。
【請求項４】
前記路面接触片は、前記台車から取外した際、刷毛ブラシとして使用できるようにした、
ことを特徴とする請求項１ないし３記載の清掃装置。
【請求項５】
塵埃を回収する前記筐体は、前記台車から取外した際、塵取りとして使用できるようにした、
ことを特徴とする請求項１ないし４記載の清掃装置。
【請求項６】
前記路面接触片は、特別の工具を必要とせず、作業者の手作業で前記台車に対して着脱可能に設けた、
ことを特徴とする請求項１ないし５記載の清掃装置。
【請求項７】
塵埃を回収する前記筐体は、特別の工具を必要とせず、作業者の手作業で前記台車に対して着脱可能に設けた、
ことを特徴とする請求項１ないし５記載の清掃装置。
【発明の詳細な説明】
【技術分野】
【０００１】
本発明は路面や工場内の床面等の塵埃を清掃する清掃装置に関するものである。
【背景技術】
【０００２】
従来の清掃装置は、走行車輪と逆回転するロール状の回転ブラシによって、路面や床面等にある塵埃を掃き上げて収集する構造になっている。
【先行技術文献】
【特許文献】
【０００３】
特許文献１：特開２０１１−０３７６９５号公報
こうした構造の清掃装置においては、回転ブラシの駆動機構が回転ブラシの側面に設けられるため、清掃装置の横幅は回転ブラシの長さより大きくなる。それゆえ清掃装置によって清掃した後の路面においても回転ブラシの側面にはゴミの取り残しが発生する。また、回転ブラシ後方に路面接触片がないと清掃装置の通過した路面には回転ブラシで回収し切れなかったゴミが点在する場合がある。
【発明の開示】
【発明が解決しようとする課題】
【０００４】
従来の清掃装置では側面に壁がある路面などでは壁際のゴミの取り残しや、通過後の微細ゴミの点在などがあり改善が求められていた。
【０００５】
また壁際のゴミの回収に関しては円盤状に回転する回転式サイドブラシを装着した清掃装置が存在するが、駆動機構が必要となり装置も大型化しコストアップにつながっていた。
【０００６】
さらに、通過後の微細ゴミの点在防止に関しては、ゴム板や布などを路面に接触させるよう構成した清掃装置も存在しているが、ゴミの種類によっては微細ゴミの点在を皆無にするのが難しい事があり、残留した微細ゴミの回収のために箒などを使用しなければならなくなるなど、清掃装置として本末転倒ともいえるような状況になっている。
【課題を解決するための手段】
【０００７】
本発明は、上記の課題を克服するため、以下の構成を採用するものである。
本発明の清掃装置は、
左右に走行車輪を取り付けた台車に、前記走行車輪の回転に対して逆回転する回転ブラシを設け、前記回転ブラシの前記台車の進行方向前方上方に、前記回転ブラシから掻き上げられた塵埃を回収する筐体を着脱自在に取り付けた清掃装置において、
前記台車の進行方向の塵埃を前記回転ブラシに誘導する左右２つの前部誘導片と、
前記回転ブラシ後方に、前記台車に対して着脱自在な路面接触片を設けた、ことをと特徴とする。
また本発明の清掃装置は、
前記前部誘導片は、前記台車の進行方向に対し、前記回転ブラシの前方両側の２ヶ所に、かつ前記台車の内側に向けて傾斜する逆ハ字状に、前記台車に設置した、ことを特徴とする。
また本発明の清掃装置は、
前記路面接触片は、少なくとも前記左右の走行用車輪間の幅に対応する路面接触面に接触するよう構成した、ことを特徴とする。
また本発明の清掃装置は、
前記路面接触片は、前記台車から取外した際、刷毛ブラシとして使用できるようにした、ことを特徴とする。
また本発明の清掃装置は、
塵埃を回収する前記筐体は、前記台車から取外した際、塵取りとして使用できるようにした、ことを特徴とする。
また本発明の清掃装置は、
前記路面接触片は、特別の工具を必要とせず、作業者の手作業で前記台車に対して着脱可能に設けた、ことを特徴とする。
また本発明の清掃装置は、
塵埃を回収する前記筐体は、特別の工具を必要とせず、作業者の手作業で前記台車に対して着脱可能に設けた、ことを特徴とする。
【発明の効果】
【０００８】
本発明によれば、前部誘導片が清掃装置の幅内にあるゴミを回転ブラシへと誘導するので、清掃装置幅内のゴミの取り残しを少なくすることが出来る。また回転ブラシ後部に路面接触片を設けたので清掃装置が通過後の路面に、取り残したゴミが路面に放置されることを改善することができる。更に台車から取り外した路面接触片は刷毛ブラシとして、また塵埃を回収する筐体は塵取りとして使用できるようにしたので、清掃装置によって清掃できない隅部や狭隘部などの清掃に、別途、箒や塵取り等の清掃具を用意しなくても、本発明の清掃装置一台によって、手作業を含めた全ての清掃作業を行うことが出来る。
【図面の簡単な説明】
【０００９】
【図１】本発明の一部を断面にした側面図
【図２】本発明の底面図
【図３】本発明の実施状態を示す斜視図
【図４】本発明の構成部品の実施状態を示す斜視図
【図５】本発明の収納状態を示す斜視図
【発明を実施するための最良の形態】
【００１０】
本発明の実施の形態について、図１から図４に基づいて詳細に説明する。
本発明の清掃装置は、図１に示すように、台車２に対して左右の走行車輪１ａと、走行誘導車輪１ｂを備え、操作用ハンドル７によって作業者が手押しで清掃作業を行うものである。台車２には、路面や工場内の床面等の塵埃を掃き上げて収集する回転ブラシ３と、その進行方向前方には、塵埃を回収する筐体４が、台車に対して着脱自在に設けられている。なお操作用ハンドル７は、上下伸縮可能となっており作業者の背丈に合わせて、高さ調節ネジ８によって調節可能であり、また台車２に対して回動可能に取り付けられている。作業者が作業するときには、操作用ハンドル７の前方に取り付けてあるストッパー９を操作用ハンドル７側に固定して、操作用ハンドル７がぐらつかないようスムーズに押すことが出来るようにしてある。
【００１１】
回転ブラシ３は、走行車輪１ａと逆回転するよう、図示しない連結機構によって走行車輪１ａの回転軸と回転ブラシ３の回転軸とが連結されている。なお、走行車輪１ａの回転を回転ブラシ３に（逆回転するよう）伝える伝達手段として、歯車やベルト等様々な方式があるが、走行車輪１ａを直接的に回転ブラシ３の回転軸に接触させて伝えるようにしてもよい。
【００１２】
回転ブラシ３の進行方向前方には、台車２の左右２ヶ所に前部誘導片５が設けられている。図２は、清掃装置を裏側から見た図であり、前部誘導片５は台車の内側に向けて傾斜する逆ハ字状に設置してあり、これによって、清掃装置の幅内に存在する塵埃を回転ブラシ３に誘導することができる。
【００１３】
回転ブラシ３の進行方向後方には、路面接触片６が設けられている。本実施例において路面接触片６は、ブラシ形状としているが、可撓性を有する合成樹脂性の平板であってもよい。路面接触片６の先端部分は、清掃対象面に接触する長さとし、回転ブラシ３によって回収できなかった塵埃が路面に取り残されないようにこれを集めて、清掃装置内に留めるためのものである。また路面接触片６の幅は、少なくとも左右の走行用車輪１ａ間の幅に対応する路面接触面に接触するようにしている。
【００１４】
さらに、図３、図４に示すように、路面接触片６は、台車後部に設けた溝状の取付け部に対し着脱自在に取り付けられている。路面接触片６は、図示しないロック機構により清掃装置による作業中は台車に固定されるとともに、必要に応じてロック機構を外すことにより、作業者がこれを簡単に引き抜いて取り外し、刷毛ブラシとして使用することができるようにしてある。なおロック機構は必須の構成ではなく、台車後部に設けた溝状に圧入する構成としてもよい。
【００１５】
また塵埃を回収する筐体４は、台車に設けた溝状の取付け部に対し着脱自在に取り付けられている。筐体４は、図示しないロック機構により清掃装置による作業中は台車に固定されるとともに、必要に応じてロック機構を外すことにより、作業者がこれを簡単に引き抜いて取り外し、塵取りとして使用できるようにしてある。なおロック機構は必須の構成ではなく、台車後部に設けた溝状に圧入する構成としてもよい。
【００１６】
上記のとおり、台車から取り外した路面接触片６と筐体４とによって、作業者は手作業によって路面に残された塵埃を清掃することができるようになっており、別途、箒や塵取り等の清掃具を用意しなくても、本発明の清掃装置一台によって、手作業の清掃も行うことが出来る。
【００１７】
また図５に示すとおり、本願発明の清掃装置は、走行用ハンドル７及びストッパー９を台車側に倒して、全体をコンパクトに収納することができ、また把手１０によって手軽に持ち運びすることができる。
【符号の説明】
【００１８】
１ａ   走行車輪
１ｂ   走行誘導車輪
２     台車（フレーム）
３     回転ブラシ
４     塵埃回収筐体
５     前部誘導片
６     路面接触片
７     操作用ハンドル
８    高さ調節ネジ
９    ストッパー
１０  把手
【図１】
2012249915.tif 000003
【図２】
2012249915.tif 000004
【図３】
2012249915.tif 000005
【図４】
2012249915.tif 000006
【図５】
2012249915.tif 000007
【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
左右に走行車輪を取り付けた台車に、前記走行車輪の回転に対して逆回転する回転ブラシを設け、前記回転ブラシの前記台車の進行方向前方上方に、前記回転ブラシから掻き上げられた塵埃を回収する筐体を着脱自在に取り付けた清掃装置において、
前記台車の進行方向の清掃装置の幅内にある塵埃を回転ブラシへと誘導する左右２つの前部誘導片と、
前記回転ブラシ後方に、前記台車に対して着脱自在な路面接触片を設け、
前記前部誘導片は、前記台車の進行方向に対し、前記回転ブラシの前方両側の２ヶ所に、かつ前記台車の内側に向けて傾斜する逆ハ字状に、前記台車に設置した、
ことをと特徴とする清掃装置。
【請求項２】
前記路面接触片は、少なくとも前記左右の走行用車輪間の幅に対応する路面接触面に接触するよう構成した、
ことを特徴とする請求項１記載の清掃装置。
【請求項３】
前記路面接触片は、前記台車から取外した際、刷毛ブラシとして使用できるようにした、
ことを特徴とする請求項１又は２に記載の清掃装置。
【請求項４】
塵埃を回収する前記筐体は、前記台車から取外した際、塵取りとして使用できるようにした、
ことを特徴とする請求項１ないし３のいずれか１項に記載の清掃装置。
【請求項５】
前記路面接触片は、特別の工具を必要とせず、作業者の手作業で前記台車に対して着脱可能に設けた、
ことを特徴とする請求項１ないし４のいずれか１項に記載の清掃装置。
【請求項６】
塵埃を回収する前記筐体は、特別の工具を必要とせず、作業者の手作業で前記台車に対して着脱可能に設けた、
ことを特徴とする請求項１ないし４のいずれか１項に記載の清掃装置。
【手続補正２】
【補正対象書類名】明細書
【補正対象項目名】０００３
【補正方法】変更
【補正の内容】
【０００３】
特許文献１：特開２０１１−０３７６９５号公報
特許文献２：特開２００２−２３３４８５号公報
こうした構造の清掃装置においては、回転ブラシの駆動機構が回転ブラシの側面に設けられるため、清掃装置の横幅は回転ブラシの長さより大きくなる。それゆえ清掃装置によって清掃した後の路面においても回転ブラシの側面にはゴミの取り残しが発生する。また、回転ブラシ後方に路面接触片がないと清掃装置の通過した路面には回転ブラシで回収し切れなかったゴミが点在する場合がある。
【手続補正３】
【補正対象書類名】明細書
【補正対象項目名】０００７
【補正方法】変更
【補正の内容】
【０００７】
本発明は、上記の課題を克服するため、以下の構成を採用するものである。
本発明の清掃装置は、
左右に走行車輪を取り付けた台車に、前記走行車輪の回転に対して逆回転する回転ブラシを設け、前記回転ブラシの前記台車の進行方向前方上方に、前記回転ブラシから掻き上げられた塵埃を回収する筐体を着脱自在に取り付けた清掃装置において、
前記台車の進行方向の清掃装置の幅内にある塵埃を回転ブラシへと誘導する左右２つの前部誘導片と、
前記回転ブラシ後方に、前記台車に対して着脱自在な路面接触片を設け、
前記前部誘導片は、前記台車の進行方向に対し、前記回転ブラシの前方両側の２ヶ所に、かつ前記台車の内側に向けて傾斜する逆ハ字状に、前記台車に設置した、
ことをと特徴とする。
また本発明の清掃装置は、
前記路面接触片は、少なくとも前記左右の走行用車輪間の幅に対応する路面接触面に接触するよう構成した、ことを特徴とする。
また本発明の清掃装置は、
前記路面接触片は、前記台車から取外した際、刷毛ブラシとして使用できるようにした、ことを特徴とする。
また本発明の清掃装置は、
塵埃を回収する前記筐体は、前記台車から取外した際、塵取りとして使用できるようにした、ことを特徴とする。
また本発明の清掃装置は、
前記路面接触片は、特別の工具を必要とせず、作業者の手作業で前記台車に対して着脱可能に設けた、ことを特徴とする。
また本発明の清掃装置は、
塵埃を回収する前記筐体は、特別の工具を必要とせず、作業者の手作業で前記台車に対して着脱可能に設けた、ことを特徴とする。